(57)【要約】【課題】複数の同軸ケーブルをまとまった状態で配置することが可能なスライド式の電子機器を提供する。【解決手段】本発明の電子機器１Ａでは、第１の回路基板２１を保持する第１の筐体２と、第２の回路基板３１を保持する第２の筐体３とが重ね合わされた状態で相対的にスライド可能に構成され、ケーブル列５は、第１の筐体２と第２の筐体３とが重ね合わされる方向から見たとき、第１のコネクタ５２と第２のコネクタ５３とが複数の同軸ケーブル５１の並列方向にずれ、複数の同軸ケーブル５１がＵ字状に折り返された状態で配置される。【選択図】図１Ａ
2010045724.tif 000002
【特許請求の範囲】
【請求項１】
第１の回路基板を保持する第１の筐体と、第２の回路基板を保持する第２の筐体とが重ね合わされた状態で相対的にスライド可能に構成された電子機器であって、
分離した複数の同軸ケーブルと、
前記複数の同軸ケーブルを並列させた状態でこれらの一方の端部に取り付けられるとともに、前記第１の回路基板に取り付けられる第１のコネクタと、
前記複数の同軸ケーブルを並列させた状態でこれらの他方の端部に取り付けられるとともに、前記第２の回路基板に取り付けられる第２のコネクタと、
を含むケーブル列を備え、
前記ケーブル列は、前記第１の筐体と前記第２の筐体とが重ね合わされる方向から見たとき、前記第１のコネクタと前記第２のコネクタとが前記複数の同軸ケーブルの並列方向にずれ、前記複数の同軸ケーブルがＵ字状に折り返された状態で配置される、
ことを特徴とする電子機器。
【請求項２】
前記第１のコネクタと前記第２のコネクタとが前記複数の同軸ケーブルの並列方向に離間する、
請求項１に記載の電子機器。
【請求項３】
前記複数の同軸ケーブルは、その並び順が入れ替わらないように、Ｕ字状に折り返される、
請求項１に記載の電子機器。
【請求項４】
前記第１の筐体と前記第２の筐体とがスライドしたとき、前記第１のコネクタと前記第２のコネクタとが前記複数の同軸ケーブルの伸長方向に沿って相対移動する、
請求項１に記載の電子機器。
【請求項５】
前記第１のコネクタと前記第２のコネクタとは、相対移動する中の何れかの位置で、前記複数の同軸ケーブルの並列方向に隣り合う、
請求項４に記載の電子機器。
【請求項６】
前記第１の筐体と前記第２の筐体とがスライドしたとき、前記第１のコネクタと前記第２のコネクタとが前記複数の同軸ケーブルの並列方向に沿って相対移動する、
請求項１に記載の電子機器。
【請求項７】
前記ケーブル列は、前記第１の回路基板と前記第２の回路基板との間に配置される、
請求項１に記載の電子機器。
【発明の詳細な説明】
【技術分野】
【０００１】
本発明は、電子機器に関し、特に２つの筐体が相対的にスライド可能に構成された電子機器に関する。
【背景技術】
【０００２】
携帯電話などの電子機器として、２つの筐体が相対的にスライド可能に構成された電子機器が知られている。こうした電子機器では、一般的に、それぞれの筐体に保持された回路基板がフレキシブル配線基板（ＦＰＣ）を介して接続されている。このＦＰＣは、折り曲げられた状態で配置され、筐体のスライドに伴って変形する。
【特許文献１】特開２００７−３６５１５号公報
【発明の開示】
【発明が解決しようとする課題】
【０００３】
ところで、ＦＰＣでは、折り曲げたときの厚さが比較的大きくなることから、電子機器の小型化の要求に応えることが難しい。また、ＦＰＣは、樹脂フィルムにより帯状に形成されているため、基本的に厚さ方向に重なるように折り返さなければならず、レイアウトの自由度が少ない。
【０００４】
そこで、本発明者らは、ＦＰＣに代えて、複数の同軸ケーブルの両端をそれぞれ平型のコネクタで並列状にまとめたケーブル列（いわゆる、ディスクリートケーブル）をスライド式の電子機器に用いることを検討している。しかしながら、こうしたケーブル列をＦＰＣと同様に厚さ方向に重なるように折り返した場合、図７Ａ及び図７Ｂに示されるように、同軸ケーブルの折り返された部分が、並列方向に散り広がってしまうとともに、厚さ方向に膨らんでしまうという問題がある。この場合、筐体のスライドに伴って変形する各同軸ケーブルの軌跡がバラバラになり、意図しない箇所に引っ掛かってしまう虞がある。また、各同軸ケーブルに加わる応力もバラバラになり、同軸ケーブルの機械的信頼性の観点からも好ましくない。更に、各同軸ケーブル間のカップリングもバラバラになり、同軸ケーブルの電気的信頼性の観点からも好ましくない。
【０００５】
なお、特許文献１には、複数の同軸ケーブルを環状に巻いた形態や三重に折り曲げた形態が開示されているが、これらは厚さ方向に大きくなってしまうことから、電子機器の小型化の要求に応えることが困難である。
【０００６】
本発明は、上記実情に鑑みて為されたものであり、複数の同軸ケーブルをまとまった状態で配置することが可能なスライド式の電子機器を提供することを主な目的とする。
【課題を解決するための手段】
【０００７】
上記課題を解決するため、本発明の電子機器は、第１の回路基板を保持する第１の筐体と、第２の回路基板を保持する第２の筐体とが重ね合わされた状態で相対的にスライド可能に構成された電子機器であって、分離した複数の同軸ケーブルと、前記複数の同軸ケーブルを並列させた状態でこれらの一方の端部に取り付けられるとともに、前記第１の回路基板に取り付けられる第１のコネクタと、前記複数の同軸ケーブルを並列させた状態でこれらの他方の端部に取り付けられるとともに、前記第２の回路基板に取り付けられる第２のコネクタと、を含むケーブル列を備え、前記ケーブル列は、前記第１の筐体と前記第２の筐体とが重ね合わされる方向から見たとき、前記第１のコネクタと前記第２のコネクタとが前記複数の同軸ケーブルの並列方向にずれ、前記複数の同軸ケーブルがＵ字状に折り返された状態で配置される、ことを特徴とする。
【０００８】
本発明によれば、第１のコネクタと第２のコネクタとが複数の同軸ケーブルの並列方向にずれ、複数の同軸ケーブルがＵ字状に折り返された状態であることから、上述の重なり合うように折り返される場合と比較して、同軸ケーブルの曲率を大きくすることができる。このため、同軸ケーブルが折り返される部分をまとまった状態にすることができるとともに、折り返されたときの厚さを低減することができる（図５Ａ及び図５Ｂを参照）。また、この場合、第１の筐体と第２の筐体とがスライドする際に各同軸ケーブルを同様に変形させることができるので（図６Ａ及び図６Ｂを参照）、同軸ケーブルの機械的信頼性および電気的信頼性を確保することができる。
【０００９】
また、本発明の電子機器では、前記第１のコネクタと前記第２のコネクタとが前記複数の同軸ケーブルの並列方向に離間することが好ましい。これによれば、同軸ケーブルが折り返される部分をよりまとまった状態にすることができる。
【００１０】
また、本発明の一態様では、前記複数の同軸ケーブルは、その並び順が入れ替わらないように、Ｕ字状に折り返される。これによれば、各同軸ケーブルの変形が他の同軸ケーブルに阻害されないようにすることができる。
【００１１】
また、本発明の一態様では、前記第１の筐体と前記第２の筐体とがスライドしたとき、前記第１のコネクタと前記第２のコネクタとが前記複数の同軸ケーブルの伸長方向に沿って相対移動する。これによれば、図６Ａに示されるように、同軸ケーブルの折り返される箇所が伸長方向に沿って変化するため、特定の箇所に応力が集中することを抑制できる。
【００１２】
この態様では、前記第１のコネクタと前記第２のコネクタとは、相対移動する中の何れかの位置で、前記複数の同軸ケーブルの並列方向に隣り合うようにしてもよい。これによれば、第１の筐体と第２の筐体とをスライドさせるのに必要となる同軸ケーブルの長さを短縮化することができる。
【００１３】
また、本発明の一態様では、前記第１の筐体と前記第２の筐体とがスライドしたとき、前記第１のコネクタと前記第２のコネクタとが前記複数の同軸ケーブルの並列方向に沿って相対移動する。これによれば、図６Ｂに示されるように、第１のコネクタと第２のコネクタが離れたときに、同軸ケーブルの曲率が大きくなるので、折り返される箇所の応力を解放することができる。
【００１４】
また、本発明の一態様では、前記ケーブル列は、前記第１の回路基板と前記第２の回路基板との間に配置される。これによれば、第１の筐体と第２の筐体とのスライドに伴って第１の回路基板と第２の回路基板とが相対移動しても、これらによってケーブル列の変形が阻害されることを抑制できる。
【発明を実施するための最良の形態】
【００１５】
本発明の実施形態について、図面を参照しながら説明する。
【００１６】
図１Ａ及び図１Ｂは、本発明の一実施形態に係る電子機器１Ａの閉状態及び開状態を表す斜視図である。図２Ａ及び図２Ｂは、電子機器１Ａの閉状態及び開状態を表す平面図である。図３Ａ及び図３Ｂは、電子機器１Ａの閉状態及び開状態を表す側面図である。以下の説明では、第１の筐体２の側を上側とし、第２の筐体３の側を下側とする。
【００１７】
本実施形態に係る電子機器１Ａは、例えば携帯電話等として構成される。この電子機器１Ａは、絶縁性樹脂材料からなる扁平直方体状の第１の筐体２及び第２の筐体３を有しており、これらが上下方向に重ね合わされている。これら第１の筐体２及び第２の筐体３は、その長手方向に沿って相対的にスライド可能に構成されており、図１Ａに示される閉状態と図１Ｂに示される開状態との間を移行する。こうした第１の筐体２及び第２の筐体３の相対的なスライドは、例えば一方にガイド溝を設け、他方にガイドレールを設けるスライド機構によって実現される。なお、第１の筐体２及び第２の筐体３には、相手方と対向する面の一部に、後述するケーブル列５が挿通される開口がそれぞれ形成される。
【００１８】
また、第１の筐体２の内部には第１の回路基板２１が保持されており、第２の筐体３の内部には第２の回路基板３１が保持されている。これら第１の回路基板２１及び第２の回路基板３１は、電子機器１Ａとしての機能を実現するための種々の回路や素子を有している。これら第１の回路基板２１及び第２の回路基板３１は平行に配置され、第１の回路基板２１の下面である対向面２１ｃには基板側コネクタ２３が設けられ、第２の回路基板３１の上面である対向面３１ｃには基板側コネクタ３３が設けられている。これら基板側コネクタ２３，３３は、第１の筐体２及び第２の筐体３の幅方向に延びた平型の形状を有しており、また、上下方向から見たときにこの幅方向に離間して配置されている。なお、この形態に限られず、基板側コネクタ２３，３３が、上下方向から見たときに一部同士が重なる程度に幅方向にずれて配置されるようにしてもよい。
【００１９】
これら基板側コネクタ２３，３３には、第１の回路基板２１と第２の回路基板３１とを電気的に接続するためのフラット状のケーブル列５が取り付けられる。このケーブル列５は、図５Ａ及び図５Ｂにも示されるように、平面的に並列した屈曲可能な複数の同軸ケーブル５１を有している。これらの同軸ケーブル５１は、同じ長さで構成されており、伸長方向と直交する方向に並列して、両端部が揃えられている。これらの同軸ケーブル５１は、その径が例えば１ｍｍ以下程度（特には０．３〜０．５ｍｍ程度）の、いわゆる細線同軸ケーブルである。
【００２０】
また、複数の同軸ケーブル５１の一方の端部にはケーブル側コネクタである第１のコネクタ５２が取り付けられ、他方の端部にはケーブル側コネクタである第２のコネクタ５３が取り付けられている。これら第１のコネクタ５２及び第２のコネクタ５３は、複数の同軸ケーブル５１の並列方向に沿って延びた平型の形状を有している。第１のコネクタ５２は、第１の回路基板２１に設けられた基板側コネクタ２３と嵌合し、第２のコネクタ５３は、第２の回路基板３１に設けられた基板側コネクタ３３と嵌合する。
【００２１】
また、図５Ａ及び図５Ｂに示されるように、第１のコネクタ５２の一方の面は端子形成面５２ａとされ、この端子形成面５２ａには、複数の同軸ケーブル５１の芯線とそれぞれ導通し、これらと同方向に並列した複数の端子５２ｅが形成されている。また、第２のコネクタ５３にも同様に、端子形成面５３ａに複数の端子５３ｅが形成されている。これらの端子形成面５２ａ，５３ａは、複数の同軸ケーブル５１を直線状にしたときに同じ側を向く面である。
【００２２】
こうしたケーブル列５は、上下方向から見たときに、第１のコネクタ５２と第２のコネクタ５３とが並列方向に離間し、複数の同軸ケーブル５１がＵ字状に折り返された状態で、第１の回路基板２１及び第２の回路基板３１の間に配置される。これらの同軸ケーブル５１は、その並び順が並列方向に入れ替わらないようにＵ字状に折り返されている。また、これらの同軸ケーブル５１は、第１のコネクタ５２の端子形成面５２ａが第１の回路基板２１側を向き、第２のコネクタ５３の端子形成面５３ａが第２の回路基板３１側を向くように折り返される（図５Ｂを参照）。なお、この形態に限られず、第１のコネクタ５２及び第２のコネクタ５３が、上下方向から見たときに一部同士が重なる程度に幅方向にずれて配置されるようにしてもよい。
【００２３】
ここで、本実施形態では、複数の同軸ケーブル５１の伸長方向（第１のコネクタ５２及び第２のコネクタ５３に対する挿入方向）が第１の筐体２及び第２の筐体３の長手方向（スライド方向）に対応し、複数の同軸ケーブル５１の並列方向が第１の筐体２及び第２の筐体３の幅方向に対応するように、ケーブル列５が配置される。
【００２４】
このように配置されたケーブル列５は、第１の筐体２及び第２の筐体３が閉状態にあるときに、これらの幅方向に第１のコネクタ５２及び第２のコネクタ５３が隣り合い、複数の同軸ケーブル５１がその中央部分で折り返された状態となっている（図２Ａ及び図５Ａを参照）。そして、第１の筐体２及び第２の筐体３が長手方向に沿ってスライドすると、これに伴って、第１のコネクタ５２及び第２のコネクタ５３が同方向に離れ、複数の同軸ケーブル５１の折り返される箇所が同方向に変化していく（図２Ｂ及び図６Ａを参照）。
【００２５】
次に、本発明の他の実施形態について説明する。図４Ａ及び図４Ｂは、本発明の他の実施形態に係る電子機器１Ｂの閉状態及び開状体を表す平面図である。上記実施形態と重複する構成については、図中に同番号を付すことで詳細な説明を省略する。
【００２６】
本実施形態では、複数の同軸ケーブル５１の伸長方向が第１の筐体２及び第２の筐体３の幅方向に対応し、複数の同軸ケーブル５１の並列方向が第１の筐体２及び第２の筐体３の長手方向に対応するように、ケーブル列５が配置される。
【００２７】
このように配置されたケーブル列５は、第１の筐体２及び第２の筐体３が閉状態にあるときに、これらの長手方向に第１のコネクタ５２及び第２のコネクタ５３が隣り合った状態となっている（図４Ａ及び図５Ａを参照）。そして、第１の筐体２及び第２の筐体３が長手方向に沿ってスライドすると、これに伴って、第１のコネクタ５２及び第２のコネクタ５３が同方向に離れ、複数の同軸ケーブル５１の曲率が大きくなっていく（図４Ｂ及び図６Ｂを参照）。
【００２８】
なお、本実施形態では、第１のコネクタ５２及び第２のコネクタ５３が相対移動する中の何れの位置でも上下方向に重なり合わないことが好適である。
【００２９】
以上、本発明の実施形態について説明したが、本発明は上記実施形態に限定されるものではなく、種々の変形実施が当業者にとって可能であるのはもちろんである。
【００３０】
例えば、基板側コネクタ２３，３３の配置態様は、上述の形式に限られず、基板側コネクタ２３，３３の一方または両方が回路基板２１，３１の外側の面に配置されて、ケーブル列５が回路基板２１，３１の一方または両方を挟み込むように配置される配置態様であってもよい。
【図面の簡単な説明】
【００３１】
【図１Ａ】本発明の一実施形態に係る電子機器の閉状態を表す斜視図である。
【図１Ｂ】本発明の一実施形態に係る電子機器の開状態を表す斜視図である。
【図２Ａ】本発明の一実施形態に係る電子機器の閉状態を表す平面図である。
【図２Ｂ】本発明の一実施形態に係る電子機器の開状態を表す平面図である。
【図３Ａ】本発明の一実施形態に係る電子機器の閉状態を表す側面図である。
【図３Ｂ】本発明の一実施形態に係る電子機器の開状態を表す側面図である。
【図４Ａ】本発明の他の実施形態に係る電子機器の閉状態を表す平面図である。
【図４Ｂ】本発明の他の実施形態に係る電子機器の開状態を表す平面図である。
【図５Ａ】Ｕ字状に折り返されたケーブル列の状態を表す平面図である。
【図５Ｂ】Ｕ字状に折り返されたケーブル列の状態を表す側面図である。
【図６Ａ】Ｕ字状に折り返されたケーブル列の変形を表す平面図である。
【図６Ｂ】Ｕ字状に折り返されたケーブル列の変形を表す平面図である。
【図７Ａ】直線的に折り返されたケーブル列の状態を表す平面図である。
【図７Ｂ】直線的に折り返されたケーブル列の状態を表す平面図である。
【符号の説明】
【００３２】
１Ａ，１Ｂ  電子機器、２  第１の筐体、２１  第１の回路基板、２１ｃ  対向面、２３  基板側コネクタ、３  第２の筐体、３１  第２の回路基板、３１ｃ  対向面、３３  基板側コネクタ、５  ケーブル列、５１  同軸ケーブル、５２  第１のコネクタ、５２ａ  端子形成面、５２ｅ  端子、５３  第２のコネクタ、５３ａ  端子形成面、５３ｅ  端子。
【図１Ａ】
2010045724.tif 000003
【図１Ｂ】
2010045724.tif 000004
【図２Ａ】
2010045724.tif 000005
【図２Ｂ】
2010045724.tif 000006
【図３Ａ】
2010045724.tif 000007
【図３Ｂ】
2010045724.tif 000008
【図４Ａ】
2010045724.tif 000009
【図４Ｂ】
2010045724.tif 000010
【図５Ａ】
2010045724.tif 000011
【図５Ｂ】
2010045724.tif 000012
【図６Ａ】
2010045724.tif 000013
【図６Ｂ】
2010045724.tif 000014
【図７Ａ】
2010045724.tif 000015
【図７Ｂ】
2010045724.tif 000016